(57)【要約】【課題】配線の布設が不要であり、特に車室内の電子機器の盗難防止に適用できる「盗難防止装置及び盗難防止システム」を提供する。【解決手段】盗難防止装置１と、監視対象である電子機器（ＡＶコントロールユニット２等）とは無線ＬＡＮで接続されている。盗難防止装置１は、セキュリティモードに移行するときに、電子機器に対しＩＤコード要求信号を受信してもＩＤコードを送らないセキュリティモードへの移行を要求するセキュリティモード設定信号を送信する。その後、一定の時間毎にＩＤコード要求信号を送信し、ＩＤコードが送られてくるか否かを監視する。例えば、不審者が侵入すると、不審者が持つ携帯電話等の電子機器がＩＤコード要求信号に応じてＩＤコードを送信する。盗難防止装置１は、セキュリティモードのときにＩＤコードを受信すると警報を発生する。【選択図】図１
2005267393.tif 000002
【特許請求の範囲】
【請求項１】
監視対象の電子機器との間で無線通信を行う通信部と、
前記電子機器に固有のＩＤコードの送信を要求するＩＤコード要求信号及びＩＤコード要求信号を受信してもＩＤコードを送らないセキュリティモードへの移行を要求するセキュリティモード設定信号を前記通信部を介して送信する制御部とを有し、
前記制御部は、前記電子機器に対しセキュリティモード設定信号を送信した後、ＩＤコード要求信号を送信して、該ＩＤコード要求信号に応じてＩＤコードが送られてきたときに警報を発生することを特徴とする盗難防止装置。
【請求項２】
監視対象の電子機器との間で無線通信を行う通信部と、
前記電子機器に固有のＩＤコードの送信を要求するＩＤコード要求信号を前記通信部を介して送信する制御部と、
前記制御部により制御されるＩＤコード登録部とを有し、
前記制御部は、盗難の検出を行わないセキュリティ解除モードのときに前記電子機器からＩＤコードを取得して前記ＩＤコード登録部に登録しておき、
盗難の検出を行うセキュリティモードに移行するとＩＤコード要求信号を送信し、該ＩＤコード要求信号に応じて送られてきたＩＤコードと前記ＩＤコード登録部に登録されているＩＤコードとが一致していないときに警報を発生することを特徴とする盗難防止装置。
【請求項３】
盗難防止装置と、
前記盗難防止装置と無線により通信接続され、前記盗難防止装置から送られるＩＤコード要求信号に応じて固有のＩＤコードを送信するセキュリティ解除モードと、ＩＤコード要求信号を受信してもＩＤコードを送信しないセキュリティモードのいずれかの状態となる電子機器とにより構成され、
前記盗難防止装置は、前記電子機器をセキュリティモードに移行させた後、ＩＤコード要求信号を送信して、該ＩＤコード要求信号に応じてＩＤコードが送られてきたときに警報を発生することを特徴とする盗難防止システム。
【請求項４】
盗難防止装置と、
前記盗難防止装置と無線により通信接続され、前記盗難防止装置から送られるＩＤコード要求信号に応じて固有のＩＤコードを送信する電子機器とにより構成され、
前記盗難防止装置は、予め前記電子機器のＩＤコードを登録しておき、
前記電子機器にＩＤコード要求信号を送信し、該ＩＤコード要求信号に応じて送られてきたＩＤコードと予め登録されたＩＤコードとが一致していないときに警報を発生することを特徴とする盗難防止システム。
【発明の詳細な説明】
【技術分野】
【０００１】
本発明は、機器の盗難を防止する盗難防止装置及び盗難防止システムに関し、特に車両の室内（車室内）の電子機器の盗難防止に好適な盗難防止装置及び盗難防止システムに関する。
【背景技術】
【０００２】
近年、車両にはＦＭ／ＡＭチューナ、ＣＤ（Compact Disc）プレーヤ、ＤＶＤ（Digital Versatile Disk）プレーヤ及びカーナビゲーション装置など、種々の電子機器が搭載されるようになった。また、車室内で携帯電話、ＰＤＡ（Personal Digital Assistance ）及びノート型ＰＣ（パーソナルコンピュータ）などの電子機器を使用することも一般的になってきている。それに伴い、これらの電子機器が車両から持ち去られる盗難事件も発生するようになった。
【０００３】
従来から車両用の盗難防止装置が提案され、実用化されている。例えば特開平７−４７９２８号公報には、カーテシスイッチ（開閉検出スイッチ）と、赤外線焦電センサ及び超音波センサ等を使用した車両用盗難防止装置が開示されている。この車両用盗難防止装置では、駐車中にドア、トランク又はエンジンフードが開けられたり車室内に不審者が侵入したことを検知すると、ポジションランプ及びテールランプを点滅させたり、ホーンを断続鳴動して警報を発生する。
【特許文献１】特開平７−４７９２８号公報
【発明の開示】
【発明が解決しようとする課題】
【０００４】
しかしながら、特開平７−４７９２８号公報に開示された盗難防止装置では、ドア、トランク及びエンジンフードに取り付けたカーテシスイッチと盗難防止装置との間を接続する配線を布設したり、赤外線焦電センサ及び超音波センサを車室内に取り付けて配線する作業が必要であり、煩雑である。また、布設した配線が見えて車室内の美観を損なうこともある。
【０００５】
以上から、本発明の目的は、配線の布設が不要であり、特に車室内の電子機器の盗難防止に適用できる盗難防止装置及び盗難防止システムを提供することである。
【課題を解決するための手段】
【０００６】
上記した課題は、監視対象の電子機器との間で無線通信を行う通信部と、前記電子機器に固有のＩＤコードの送信を要求するＩＤコード要求信号及びＩＤコード要求信号を受信してもＩＤコードを送らないセキュリティモードへの移行を要求するセキュリティモード設定信号を前記通信部を介して送信する制御部とを有し、前記制御部は、前記電子機器に対しセキュリティモード設定信号を送信した後、ＩＤコード要求信号を送信して、該ＩＤコード要求信号に応じてＩＤコードが送られてきたときに警報を発生することを特徴とする盗難防止装置により解決する。
【０００７】
上記した課題は、監視対象の電子機器との間で無線通信を行う通信部と、前記電子機器に固有のＩＤコードの送信を要求するＩＤコード要求信号を前記通信部を介して送信する制御部と、前記制御部により制御されるＩＤコード登録部とを有し、前記制御部は、盗難の検出を行わないセキュリティ解除モードのときに前記電子機器からＩＤコードを取得して前記ＩＤコード登録部に登録しておき、盗難の検出を行うセキュリティモードに移行するとＩＤコード要求信号を送信し、該ＩＤコード要求信号に応じて送られてきたＩＤコードと前記ＩＤコード登録部に登録されているＩＤコードとが一致していないときに警報を発生することを特徴とする盗難防止装置により解決する。
【０００８】
上記した課題は、盗難防止装置と、前記盗難防止装置と無線により通信接続され、前記盗難防止装置から送られるＩＤコード要求信号に応じて固有のＩＤコードを送信するセキュリティ解除モードと、ＩＤコード要求信号を受信してもＩＤコードを送信しないセキュリティモードのいずれかの状態となる電子機器とにより構成され、前記盗難防止装置は、前記電子機器をセキュリティモードに移行させた後、ＩＤコード要求信号を送信して、該ＩＤコード要求信号に応じてＩＤコードが送られてきたときに警報を発生することを特徴とする盗難防止システムにより解決する。
【０００９】
上記した課題は、盗難防止装置と、前記盗難防止装置と無線により通信接続され、前記盗難防止装置から送られるＩＤコード要求信号に応じて固有のＩＤコードを送信する電子機器とにより構成され、前記盗難防止装置は、予め前記電子機器のＩＤコードを登録しておき、前記電子機器にＩＤコード要求信号を送信し、該ＩＤコード要求信号に応じて送られてきたＩＤコードと予め登録されたＩＤコードとが一致していないときに警報を発生することを特徴とする盗難防止システムにより解決する。
【００１０】
本願第１の盗難防止装置においては、監視対象の電子機器に対しセキュリティモード設定信号を送信した後、ＩＤコード要求信号を送信して、ＩＤコードを受信したときに警報を発生する。
【００１１】
例えば、不審者が盗難防止装置に近づいたときに、盗難防止装置からのＩＤコード要求信号に応じて不審者の携帯電話等の電子機器が反応しＩＤコードを送信すると、盗難防止装置は警報を発生する。このようにして不審者の侵入を検出する。
【００１２】
本願第２の盗難防止装置においては、セキュリティ解除モードのときに監視対象の電子機器からＩＤコードを収集してＩＤコード登録部に登録しておく。その後、セキュリティーモードに移行すると、ＩＤコード要求信号を出力して収集したＩＤコードとＩＤコード登録部に登録されているＩＤコードとが一致していない場合に警報を発生する。
【００１３】
例えば、監視対象の電子機器が持ち出されると、当該電子機器からのＩＤコードが受信されないため、盗難防止装置は警報を発生する。また、不審者が盗難防止装置に近づいたときに、盗難防止装置からのＩＤコード要求信号に応じて不審者の携帯電話等の電子機器が反応しＩＤコードを送信すると、盗難防止装置は警報を発生する。このようにして、電子機器の持ち出しや不審者の侵入を検出する。
【発明を実施するための最良の形態】
【００１４】
以下、本発明の実施形態について、添付の図面を参照して説明する。
（第１の実施の形態）
図１は、本発明の第１の実施の形態の盗難防止装置及び盗難防止システムを示すブロック図である。
【００１５】
図１に示すように、本実施形態の盗難防止システムは、盗難防止装置１と、この盗難防止装置１と無線ＬＡＮ(Local Area Network)により通信接続されて盗難防止の監視対象となる電子機器とにより構成される。本実施形態では、盗難防止の監視対象となる電子機器が、ＡＶコントロールユニット２、ＤＶＤプレーヤ３、表示装置４及びＰＤＡ５の場合について説明する。なお、ＤＶＤプレーヤ３及び表示装置４はケーブル（配線：図示せず）を介してＡＶコントロールユニット２に接続されている。ＤＶＤプレーヤ３から出力される映像信号及びオーディオ信号はケーブルを介してコントロールユニット２に入力され、ＡＶコントロールユニット２から出力される映像信号及びオーディオ信号は他のケーブルを介して表示装置４及びアンプ（図示せず）に入力される。
【００１６】
盗難防止装置１は、制御部１１、ＩＤコード登録部１２、通信部１３及び操作部１４により構成されている。制御部１１はマイクロコンピュータにより構成されており、プログラムに従って後述する処理を実行し、異常を検出したときには警報信号を出力する。この警報信号により、例えば車両のランプ（ポジションランプ及びテールランプ等）の点滅やホーンの断続鳴動が行われる。
【００１７】
ＩＤコード登録部１２には、制御部１１によって監視対象の電子機器のＩＤコードが登録される。通信部１３は無線ＬＡＮによる通信を実現するためのハードウェアにより構成されており、監視対象となる電子機器との間で無線通信を行う。操作部１４は、「セキュリティ設定」ボタン及び「セキュリティ解除」ボタンが設けられたリモコン送信機及び受信機により構成されている。
【００１８】
ＡＶコントロールユニット２には、音楽／映像ソースの切替や音量／音質の制御等に必要な操作ボタン等が設けられた操作部及び電子回路等（いずれも図示せず）に加えて、制御部２１と、当該ＡＶコントロールユニット２に固有のＩＤコードを記憶したＩＤコード記憶部２２と、無線ＬＡＮによる通信を実現するためのハードウェアにより構成された通信部２３とを有している。
【００１９】
ＤＶＤプレーヤ３には、ＤＶＤ再生に必要なディスク駆動部、光ピックアップ及び電子回路（いずれも図示せず）等に加えて、制御部３１と、当該ＤＶＤプレーヤ３に固有のＩＤコードを記憶したＩＤコード記憶部３２と、無線ＬＡＮによる通信を実現するためのハードウェアにより構成された通信部３３とを有している。
【００２０】
表示装置４には、液晶パネル等の表示部及び電子回路（いずれも図示せず）等に加えて、制御部４１と、当該表示装置４に固有のＩＤコードを記憶したＩＤコード記憶部４２と、無線ＬＡＮによる通信を実現するためのハードウェアにより構成された通信部４３とを有している。
【００２１】
ＰＤＡ５には、マイクロコンピュータ、液晶パネル等の表示部及び入力部（いずれも図示せず）等に加えて、制御部５１と、当該ＰＤＡ５に固有のＩＤコードを記憶したＩＤコード記憶部５２と、無線ＬＡＮによる通信を実現するためのハードウェアにより構成された通信部５３とを有している。
【００２２】
盗難防止装置１から出力される無線ＬＡＮの信号は、電波強度及び指向性が設定されて車室内にのみ電波が届き、車両外部に電波が漏れないようになっている。また、本実施形態では、盗難防止装置１、ＡＶコントロールユニット２、ＤＶＤプレーヤ３及び表示装置４は車両のバッテリーから直接電力を供給されているものとする。従って、車両のイグニッションスイッチをオフにしても、これらの機器にはバッテリーから電力が供給されている。また、ＰＤＡ５は内蔵のバッテリーにより駆動する。
【００２３】
以下、監視対象の電子機器に設けられた制御部の動作について説明する。監視対象となる電子機器は、盗難防止装置１からの信号に応じてセキュリティモードとセキュリティ解除モードとのいずれかの状態に設定される。
【００２４】
図２は、監視対象となる電子機器のセキュリティ解除モードにおける動作を示すフローチャートである。ここでは、ＡＶコントロールユニット２を例として説明するが、他の電子機器についても、制御部の動作は同様である。
【００２５】
セキュリティ解除モードでは、ステップＳ１１において、制御部２１によりＩＤコード要求信号を受信したか否かが判定される。ここで、ＩＤコード要求信号を受信していないと判定した場合はステップＳ１２に移行する。そして、ステップＳ１２において、制御部２１はセキュリティモード設定信号を受信したか否かを判定する。制御部２１がセキュリティモード設定信号を受信していないと判定した場合は、ステップＳ１１に戻る。
【００２６】
ステップＳ１１において、制御部２１がＩＤコード要求信号を受信したと判定した場合は、ステップＳ１３に移行する。そして、制御部２１は、ＩＤコード記憶部２２からＩＤコードを読み出し、ステップＳ１４において、通信部２３を介して盗難防止装置１にＩＤコードを送信する。その後、ステップＳ１１に戻る。
【００２７】
一方、ステップＳ１２で制御部２１がセキュリティモード設定信号を受信したと判定した場合は、ステップＳ１５に移行して、セキュリティモードに移行する。
【００２８】
図３は監視対象となる電子機器のセキュリティモードにおける動作を示すフローチャートである。ここでも、ＡＶコントロールユニット２を例として説明するが、他の電子機器の動作も同様である。
【００２９】
まず、ステップＳ２１において、制御部２１は、ＩＤコード要求信号を受信したか否かを判定する。セキュリティモードでは、制御部２１はＩＤコード要求信号を受信してもＩＤコードを送信しないで、無線ＬＡＮを介して送られてくる信号の監視を継続する。
【００３０】
ステップＳ２１で制御部２１がＩＤコード要求信号を受信していないと判定した場合は、ステップＳ２２に移行する。ステップＳ２２において、制御部２１はセキュリティ解除モード設定信号を受信したか否かを判定する。セキュリティ解除モード設定信号を受信していないと判定した場合は、ステップＳ２１に戻る。一方、制御部２１がセキュリティ解除モード設定信号を受信したと判定した場合は、ステップＳ２３に移行して、セキュリティ解除モードに移行する。
【００３１】
以下、本実施形態の盗難防止装置１の動作について説明する。まず、セキュリティ解除モードにおける盗難防止装置１の動作について、図４に示すフローチャートを参照して説明する。
【００３２】
まず、ステップＳ３１において、制御部１１は車室内の電子機器に対し、通信部１３を介してＩＤコード要求信号を送信する。監視対象の電子機器（ＡＶコントロールユニット２、ＤＶＤプレーヤ３、表示装置４及びＰＤＡ５）は、前述したようにＩＤコード要求信号を受信すると、ＩＤコード記憶部（ＩＤコード記憶部２２，３２，４２，５２）からＩＤコードを読み出して盗難防止装置１に送信する。
【００３３】
盗難防止装置１の制御部１１は、ステップＳ３２において、車室内の電子機器からＩＤコードを受信すると、ステップＳ３３に移行して、受信したＩＤコードをＩＤコード登録部１２に登録する。
【００３４】
その後、ステップＳ３４において、ステップＳ３１でＩＤコード要求信号を送信してから一定時間経過したか否かを判定する。否の場合はステップＳ３５に移行して、リモコン送信機の「セキュリティ設定」ボタンが押されたか否かを判定する。否の場合はステップＳ３４に戻る。
【００３５】
ステップＳ３４において、ステップＳ３１でＩＤコード要求信号を送信してから一定の時間が経過したと判定した場合は、ステップＳ３１に戻って、ＩＤコード要求信号を再度送信する。そして、ステップＳ３２において監視対象の電子機器からＩＤコードを受信すると、ステップＳ３３に移行してＩＤコード登録部１２に登録したＩＤコードを更新する。
【００３６】
このようにして、盗難防止装置１のＩＤコード登録部１２には、車両に搭載されている電子機器や、車室内に持ち込まれた電子機器のＩＤコードが登録される。なお、盗難防止装置１に登録されたＩＤコード又はＩＤコードに対応する機器名をユーザが随時確認できるようにすることが好ましい。
【００３７】
ステップＳ３５において、リモコン送信機の「セキュリティ設定」ボタンが押されたと判定した場合は、ステップＳ３６に移行して、制御部１１は通信部１３を介して各電子機器にセキュリティモード設定信号を送信する。この信号により、前述の如く監視対象の電子機器はセキュリティモードに移行する。その後、盗難防止装置１の制御部１１は、ステップＳ３７に移行して、自身もセキュリティモードに移行する。
【００３８】
図５はセキュリティモードにおける第１の実施形態の盗難防止装置１の動作を示すフローチャートである。
【００３９】
まず、ステップＳ４１において、盗難防止装置１の制御部１１は、通信部１３を介して車室内の電子機器に対しＩＤコード要求信号を送信する。その後、ステップＳ４２に移行し、ＩＤコードを受信したか否かを判定する。セキュリティモードでは、監視対象の電子機器はＩＤコード要求信号を受信してもＩＤコードを送信しないので、異常がない場合はステップＳ４２からステップＳ４３に移行する。しかし、例えば不審者が車室内に侵入して不審者の持つ携帯電話等の電子機器がＩＤコード要求信号に応じてＩＤコードを送信すると、制御部１１はステップＳ４２からステップＳ４７に移行して警報信号を発生する。これにより、例えば車両のランプの点滅やホーンの断続鳴動が行われ、不審者を威嚇することができる。ユーザの持つ携帯電話等に異常の発生を知らせる電子メールを自動送信するようにしてもよい。
【００４０】
ステップＳ４３において、制御部１１はステップＳ４１でＩＤコード要求信号を送信してから一定時間が経過したか否かを判定する。否の場合はステップＳ４４に移行し、一定時間経過したと判定したときにはステップＳ４１に戻る。
【００４１】
ステップＳ４４では、リモコン送信機の「セキュリティ解除」ボタンが押されたか否かを判定する。否の場合はステップＳ４３に戻る。一方、ステップＳ４４でユーザがリモコン送信機の「セキュリティ解除」ボタンを押したと判定したときは、ステップＳ４５に移行する。ステップＳ４５において、制御部１１は、通信部１３を介してセキュリティ解除モード設定信号を送信する。これにより、車室内の各電子機器はセキュリティ解除モードに移行する。その後、ステップＳ４６に移行し、盗難防止装置１の制御部１１は、自身もセキュリティ解除モードに移行する。
【００４２】
本実施形態の盗難防止装置は、無線ＬＡＮを介して監視対象の電子機器をセキュリティモード又はセキュリティ解除モードに設定し、セキュリティ解除モードのときには車室内の電子機器のＩＤコードを収集してＩＤコード登録部１２に登録する。そして、これらの電子機器をセキュリティモードに設定した後、ＩＤコード要求信号を送信する。不審者が車室内に侵入すると、不審者の持つ携帯電話等の電子機器がＩＤコード要求信号に応じてＩＤコードを出力するので、本実施形態の盗難防止装置は例えば車両のランプを点滅させたり、ホーンを断続鳴動させる等の警報を発生して不審者を威嚇する。これにより、車室内の電子機器の盗難を防止することができる。
【００４３】
また、本実施形態の盗難防止装置は、配線を布設する必要がなく、簡単に盗難防止システムを構築することができるとともに、車室内に持ち込んだＰＤＡ、携帯電話及びノート型ＰＣ等の盗難防止を図ることができる。また、車室内に配線を布設する必要がないので、車室内の美観を損ねることもない。
【００４４】
（第２の実施形態）
以下、本発明の第２の実施形態について説明する。なお、第２の実施形態が第１の実施形態と異なる点は盗難防止装置の動作が異なることにあり、その他の構成は第１の実施形態と基本的に同じであるので、本実施形態においても図１を参照して説明する。
【００４５】
図６は、監視対象の電子機器の動作を示すフローチャートである。ここでは、ＡＶコントロールユニット２を例として説明するが、他の電子機器の動作も同様である。
【００４６】
まず、ステップＳ５１において、制御部２１はＩＤコード要求信号の受信を監視しており、ＩＤコード要求信号を受信するとステップＳ５２に移行する。そして、ステップＳ５２でＩＤコード記憶部２２からＩＤコードを読み出し、ステップＳ５３において通信部２３を介して盗難防止装置１にＩＤコードを送信する。その後、再びステップＳ５１に戻り、ＩＤコード要求信号の受信を監視する。
【００４７】
このように、監視対象の電子機器は、セキュリティーモード及びセキュリティー解除モードに関係なく、ＩＤコード要求信号を受信するとＩＤコードを送信する動作を行う。
【００４８】
図７は、セキュリティ解除モードにおける本実施形態の盗難防止装置の動作を示すフローチャートである。
【００４９】
まず、ステップＳ６１において、制御部１１は監視対象の電子機器（ＡＶコントロールユニット２、ＤＶＤプレーヤ３、表示装置４及びＰＤＡ５）に対し、通信部１３を介してＩＤコード要求信号を送信する。監視対象の電子機器は、上述したようにＩＤコード要求信号を受信するとＩＤコード記憶部（ＩＤコード記憶部２２，３２，４２，５２）からＩＤコードを読み出して盗難防止装置１に送信する。
【００５０】
盗難防止装置１の制御部１１は、ステップＳ６２において、車室内の電子機器からＩＤコードを受信すると、ステップＳ６３に移行して、受信したＩＤコードをＩＤコード登録部１２に登録する。
【００５１】
その後、ステップＳ６４において、ステップＳ６１でＩＤコード要求信号を送信して  から一定時間経過したか否かを判定する。否の場合はステップＳ６５に移行して、リモコン送信機の「セキュリティ設定」ボタンが押されたか否かを判定する。否の場合はステップＳ６４に戻る。
【００５２】
ステップＳ６４において、ステップＳ６１でＩＤコード要求信号を送信してから一定の時間が経過したと判定した場合は、ステップＳ６１に戻って、ＩＤコード要求信号を再度送信する。そして、ステップＳ６２において監視対象の電子機器からＩＤコードを受信すると、ステップＳ６３に移行してＩＤコード登録部１２に登録しているＩＤコードを更新する。
【００５３】
このようにして、盗難防止装置１のＩＤコード登録部１２には、セキュリティ解除モードの間に車両に搭載されている電子機器や、車室内に持ち込まれた電子機器のＩＤコードが登録される。
【００５４】
ステップＳ６５において、リモコン送信機の「セキュリティ設定」ボタンが押されたと判定した場合は、ステップＳ６６に移行して、自身をセキュリティーモードに移行する。
【００５５】
図８はセキュリティモードにおける第２の実施形態の盗難防止装置の動作を示すフローチャートである。
【００５６】
まず、ステップＳ７１において、盗難防止装置１の制御部１１は、通信部１３を介して車室内の電子機器に対しＩＤコード要求信号を送信する。
【００５７】
その後、ステップＳ７２において、各電子機器から送られてくるＩＤコードを受信すると、ステップＳ７３に移行して、ＩＤコード登録部１２に登録されている各電子機器のＩＤコードが全て受信できたか否かを判定する。ここで、ＩＤコード登録部１２に登録されている各電子機器のＩＤコードが全て受信できた場合はステップＳ７４に移行するが、ＩＤコード登録部１２に登録されている１又は複数の電子機器のＩＤコードが受信できない場合は、車室内の電子機器が持ち出された可能性があるので、ステップＳ７９に移行して警報を発生する。
【００５８】
ステップＳ７３において、ＩＤコード登録部１２に登録された電子機器のＩＤコードが全て受信したと判定した場合は、ステップＳ７４に移行する。ステップＳ７４では、ＩＤコード登録部１２に登録されていないＩＤコードを受信したか否かを判定する。例えば、車内に侵入した不審者の携帯電話等がＩＤコード要求信号に応じてＩＤコードを送信した場合、制御部１１は受信したＩＤコードがＩＤコード登録部１２に登録されていないので、ステップＳ７９に移行し、警報を発生する。
【００５９】
一方、ステップＳ７４でＩＤコード登録部１２に登録されていないＩＤコードの受信がない場合はステップＳ７５に移行する。ステップＳ７５では、ステップＳ７１でＩＤコード要求信号を送信してから一定時間が経過したか否かを判定する、否の場合はステップＳ７６に移行し、リモコン送信機の「セキュリティ解除」ボタンが押されたか否かを判定する。否の場合はステップＳ７５に戻る。
【００６０】
ステップＳ７５において、ステップＳ７１でＩＤコード要求信号を送信してから一定時間が経過したと判定した場合は、ステップＳ７１に戻ってＩＤコード要求信号を再度送信する。また、ステップＳ７６でリモコン送信機の「セキュリティ解除」ボタンが押されたと判定した場合はステップＳ７７に移行する。ステップＳ７７では、制御部１１は自身をセキュリティ解除モードに移行する。
【００６１】
本実施の形態においては、第１の実施形態と同様に、不審者が車室内に侵入して不審者の持つ携帯電話等がＩＤコード要求信号に応じてＩＤコードを送信すると警報を発生するのに加えて、車室内の電子機器が車外に持ち出されたときにも警報を発生する。これにより、本実施形態では第１の実施形態と同様の効果を得ることができるのに加えて、盗難をより確実に防止できるという効果を奏する。
【００６２】
なお、上記した第１及び第２の実施形態では盗難防止装置１が単体の装置の場合について説明したが、例えばＡＶコントロールユニット２等の電子機器の内部に組み込まれていてもよい。
【００６３】
また、上記した第１及び第２の実施形態の盗難防止システムは、無線ＬＡＮにより盗難防止装置と監視対象の電子機器とが無線接続されている場合について説明したが、例えばBluetooth （近距離無線通信規格）のように他の無線通信により盗難防止システムを構築してもよい。
【００６４】
更に、上記した第１及び第２の実施形態では、本発明を車室内の電子機器の盗難を防止する盗難防止システムに適用した場合について説明しているが、本発明の適用範囲はこれに限定されるものではなく、例えば、本発明を建築物の内部に置かれた電子機器の盗難を防止する盗難防止システムに適用してもよい。
【図面の簡単な説明】
【００６５】
【図１】図１は、本発明の第１の実施の形態の盗難防止装置及び盗難防止システムを示すブロック図である。
【図２】図２は、電子機器のセキュリティ解除モードにおける動作を示すフローチャートである。
【図３】図３は、電子機器のセキュリティモードにおける動作を示すフローチャートである。
【図４】図４は、セキュリティ解除モードにおける第１の実施形態の盗難防止装置の動作を示すフローチャートである。
【図５】図５は、セキュリティモードにおける第１の実施形態の盗難防止装置の動作を示すフローチャートである。
【図６】図６は、第２の実施形態における電子機器の動作を示すフローチャートである。
【図７】図７は、セキュリティ解除モードにおける第２の実施形態の盗難防止装置の動作を示すフローチャートである。
【図８】図８は、セキュリティモードにおける第２の実施形態の盗難防止装置の動作を示すフローチャートである。
【符号の説明】
【００６６】
１…盗難防止装置、
２…ＡＶコントロールユニット、
３…ＤＶＤプレーヤ、
４…表示装置、
５…ＰＤＡ、
１１，２１，３１，４１、５１…制御部、
１２…ＩＤコード登録部、
１３，２３，３３，４３、５３…通信部、
１４…操作部、
２２，３２，４２，５２…ＩＤコード記憶部。
【図１】
2005267393.tif 000003
【図２】
2005267393.tif 000004
【図３】
2005267393.tif 000005
【図４】
2005267393.tif 000006
【図５】
2005267393.tif 000007
【図６】
2005267393.tif 000008
【図７】
2005267393.tif 000009
【図８】
2005267393.tif 000010